(57)【要約】【課題】  絶縁体の構成に工夫を施し、加圧力センサとキャップとがそれぞれ独立して着脱できるようにすることにより、異なる加圧力の溶接ガンに簡単にコスト安で適用でき、安全性の高い溶接ガン用のキャップチップ形加圧力測定装置を提供する。【解決手段】  加圧力センサ１と電気絶縁体４とチップホルダに着脱可能なキャップ８とを備えた溶接ガン用のキャップチップ形加圧力測定装置において、加圧力センサとキャップとの間に縦断面Ｈ状の円筒形の合成樹脂製絶縁体を配置し、該絶縁体の上部開口部１１に加圧力センサを、下部開口部１２にキャップを、それぞれ着脱可能に繋止した溶接ガン用のキャップチップ形加圧力測定装置。【選択図】        図１
2005138167.tif 000002
【特許請求の範囲】
【請求項１】
加圧力センサと電気絶縁体とチップホルダに着脱可能なキャップとを備えた溶接ガン用のキャップチップ形加圧力測定装置において、加圧力センサとキャップとの間に縦断面Ｈ状の円筒形の合成樹脂製絶縁体を配置し、該絶縁体の上部開口部に加圧力センサを、下部開口部にキャップを、それぞれ着脱可能に繋止したことを特徴とする溶接ガン用のキャップチップ形加圧力測定装置。
【発明の詳細な説明】
【技術分野】
【０００１】
本発明は、加圧力センサと電気絶縁体とチップホルダに着脱可能なキャップとを備えた溶接ガン用のキャップチップ形加圧力測定装置に関するものである。
【背景技術】
【０００２】
従来、溶接ガンの加圧動作時における電極による被溶接物への加圧力をモニタする装置に使用されるキャップチップ形加圧力測定装置として、加圧力センサとチップホルダに着脱可能なキャップとを一体に形成し、該キャップチップ形加圧力測定装置とチップホルダ間の通電を阻止するためにキャップチップ形加圧力測定装置に電気絶縁体を設けたものがある（例えば、特許文献１参照。）。
【０００３】
【特許文献１】実用新案登録第２５７０９４５号公報
【発明の開示】
【発明が解決しようとする課題】
【０００４】
ところで、キャップチップ形加圧力測定装置では、溶接ガンによって種々の加圧力が想定されることから、これら加圧力の広い範囲に対応するために種々の容量の加圧力センサを必要とすると共に、寸法と構造が異なるチップホルダに対してそれに対応するキャップを有するキャップチップ形加圧力測定装置を用意する必要がある。さらに電気絶縁体は、測定時に誤って溶接電流を流しても安全なように余裕を持った寸法と構造が望まれる。
【０００５】
ところが、上記従来例においては、加圧力センサとチップホルダに着脱可能なキャップとが一体に形成されているため、前記広い範囲の加圧力にそれぞれ対応するのに容量の異なる加圧力センサを備えたキャップチップ形加圧力測定装置を複数用意する必要があると共に使用されるチップホルダに対してもキャップの寸法構造が異なるそれぞれのキャップチップ形加圧力測定装置を複数用意する必要がある。さらに、電気絶縁体についても余裕を持った寸法と構造には格別の配慮はなされていない、という問題がある。
【０００６】
本発明は、従来の技術の有するこのような問題点に鑑みてなされたものであり、その目的とするところは、絶縁体の構成に工夫を施し、加圧力センサとキャップとがそれぞれ独立して着脱できるようにすることにより、異なる加圧力の溶接ガンに簡単にコスト安で適用でき、安全性の高い溶接ガン用のキャップチップ形加圧力測定装置を提供しようとするものである。
【課題を解決するための手段】
【０００７】
上記目的を達成するために、本発明における溶接ガン用のキャップチップ形加圧力測定装置は、加圧力センサとキャップとの間に縦断面Ｈ状の円筒形の合成樹脂製絶縁体を配置し、該絶縁体の上部開口部に加圧力センサを、下部開口部にキャップをそれぞれ着脱可能に繋止したことを特徴とするものである。
【発明の効果】
【０００８】
本発明においては、縦断面Ｈ状の円筒形の合成樹脂製絶縁体の上部開口部に加圧力センサを、下部開口部にキャップをそれぞれ着脱可能に繋止したので、加圧力センサとキャップがそれぞれ独立して着脱され得て、各溶接ガンに対応してそれぞれを自由に選択して使用でき、コスト安で安全性の高い溶接ガン用のキャップチップ形加圧力測定装置となる。また、加圧力センサとキャップは円筒形の絶縁体の上下開口内にそれぞれ確実に保持されるので、両者間での電気絶縁が確実に行われる安定した溶接ガン用のキャップチップ形加圧力測定装置となる。
【発明を実施するための最良の形態】
【０００９】
図１ないし図４を参照してこの発明の実施例について説明をする。
図において、１は加圧力センサであり、該加圧力センサ１は、その頭部２の感圧部が溶接ガン（図示せず）の加圧動作時における電極による被溶接物への加圧力を受領し、その胴部３において前記加圧力を電気信号に換え、センサ出力信号としてケ―ブル（図示せず）に送出するようになっている通常市販されているようなチップ形加圧力センサである。
【００１０】
４は電気絶縁体であり、該電気絶縁体４は、図４に示すように縦断面Ｈ状の円筒形のもので例えばポリカ―ボネ―トのような合成樹脂製であり、その外周の一部に縦割の溝５を備えて前記加圧力センサ１からのケ―ブルを外部に導出するようになっている。また中央の水平面６の中心部には前記加圧力センサ１を押し出すための押し棒の挿入孔７が形成せれているとよい。
【００１１】
８はキャップであり、該キャップ８は例えば鉄鋼製で、溶接ガンのチップホルダ（図示せず）に着脱可能な傾斜孔９を備え、該キャップ８の外表面には対向してスパナ掛け用の面切り１０，１０が施されている。そして、前記傾斜孔９の大きさは使用されるチップホルダの形態に対応して各種準備されるものである。
【００１２】
以上のような部材からなる溶接ガン用のキャップチップ形加圧力測定装置は、電気絶縁体４の縦断面Ｈ状の円筒形の上部開口部１１に、加圧力を測定しようとする溶接ガンの想定加圧力に見合う加圧力センサ１が例えば圧入嵌合，接着材による接着，あるいは鈎片による係止等の周知の繋止手段によって着脱可能に繋止され、また、該縦断面Ｈ状の円筒形の下部開口部１２には溶接ガンのチップホルダに見合う傾斜孔９を備えたキャップ８が上記の同様な手段である圧入嵌合，接着材による接着，あるいは鈎片による係止等の周知の繋止手段によって着脱可能に繋止されて、全体的に組み付けられ、溶接ガンの加圧力の測定に使用される。
【００１３】
この測定装置では、前述の如く縦断面Ｈ状の円筒形の合成樹脂製の電気絶縁体４の上下開口部１１，１２にそれぞれ加圧力センサ１，キャップ８が繋止されるので、加圧力センサ１およびキャップ８は確実に保持され且つ両者間に余裕を持った電気絶縁が可能となる。
【００１４】
そして、各溶接ガンに対応して最適な加圧力センサ１，キャップ８がそれぞれ独立して着脱可能であるので、余分な部材の交換なしに測定装置が構成され得て、コスト安で安全性の高いものとなる。
【００１５】
さらに、前記キャップ８の交換時には、スパナ掛け用の面切り１０，１０をスパナで保持して回転させながらキャップ８をチップホルダから取り外すことにより、キャップ８の取り替え作業も極めて容易，簡単にできる。
【００１６】
なお、キャップ８については、傾斜孔９が底板１３を有する有底孔となっているものを図示したが、該キャップ８の寸法如何によっては前記底板１３を省略して傾斜孔９がキャップ８を貫通するようにしてもよい。
【図面の簡単な説明】
【００１７】
【図１】本発明に係る溶接ガン用のキャップチップ形加圧力測定装置の要部の正面図である。
【図２】図１の平面図である。
【図３】図１の左側面図である。
【図４】電気絶縁体の縦断面図である。
【符号の説明】
【００１８】
１              加圧力センサ
４              電気絶縁体
８              キャップ
１０            スパナ掛け用の面切り
１１            絶縁体の上部開口部
１２            絶縁体の下部開口部
【図１】
2005138167.tif 000003
【図２】
2005138167.tif 000004
【図３】
2005138167.tif 000005
【図４】
2005138167.tif 000006